【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
項目が配置されている画面において、第１の移動操作を含む、画面上での選択位置を移動するための操作を受け付ける受付手段と、
前記第１の移動操作が、特定の項目を移動させるために行われたことに応じて、複数の選択可能な位置における第一の方向の端に前記特定の項目が位置していない場合には、前記第一の方向に前記特定の項目を移動させ、前記複数の選択可能な位置における前記第一の方向の端に前記特定の項目が位置している場合には、前記特定の項目を移動させるための前記第１の移動操作があっても前記特定の項目を移動させず、
前記第１の移動操作が、項目を移動させずに、複数の選択可能な位置の何れかを選択するため行われたことに応じて、前記複数の選択可能な位置における前記第一の方向の端でない位置が選択中の位置である場合には、前記選択中の位置から前記第一の方向にある位置へと選択する位置を変更し、前記複数の選択可能な位置における前記第一の方向の端の位置が前記選択中の位置である場合には、複数の選択可能な位置において、前記選択中の位置から前記第一の方向とは反対方向である第二の方向の端に選択する位置を変更するように制御する制御手段とを有することを特徴とする電子機器。
【請求項２】
項目が配置されている画面において、第１の移動操作を含む、画面上での選択位置を移動するための操作を受け付ける受付手段と、
特定の項目を移動させるための前記第１の移動操作に応じて、複数の選択可能な位置における第一の方向の端に前記特定の項目が位置していない場合には、前記第一の方向に前記特定の項目を移動させ、選択可能な位置における前記第一の方向の端に前記特定の項目が位置している場合には、前記特定の項目を移動させるための前記第１の移動操作があっても前記特定の項目を移動させず、
項目を移動させずに、配置された複数の項目の何れか選択するための前記第１の移動操作に応じて、前記複数の項目における前記第一の方向の端に選択中の項目が配置されていない場合には、前記選択中の項目から前記第一の方向に配置された項目に選択を変更し、前記複数の項目における前記第一の方向の端に前記選択中の項目が配置されている場合には、複数の項目において、前記選択中の項目から前記第一の方向とは反対方向である第二の方向の端に配置された項目に選択を変更するように制御する制御手段とを有することを特徴とする電子機器。
【請求項３】
前記第二の方向の端と、前記第一の方向の端は互いに異なる列または行であることを特徴とする請求項１または２に記載の電子機器。
【請求項４】
特定の項目を移動させるための前記第１の移動操作を受け付ける画面と、項目を移動させずに選択をするための前記第１の移動操作を受け付ける画面とは異なる機能を実行する画面であることを特徴とする請求項１乃至３の何れか１項に記載の電子機器。
【請求項５】
前記制御手段は、前記第１の移動操作に応じて移動される前記特定の項目に対して、前記特定の項目を示すためのカーソルを表示するように制御することを特徴とする請求項１乃至４の何れか１項に記載の電子機器。
【請求項６】
前記制御手段は、前記特定の項目が前記第１の移動操作に応じて移動可能な方向を示すアイテムを前記特定の項目に対して表示するように制御することを特徴とする請求項１乃至５の何れか１項に記載の電子機器。
【請求項７】
前記特定の項目を移動させるための前記第１の移動操作を受け付ける画面は、項目を表示する位置をユーザが決定できる項目の配置画面であることを特徴とする請求項１乃至６の何れか１項に記載の電子機器。
【請求項８】
前記第１の移動操作によって移動する前記特定の項目の大きさの変更が可能であることを特徴とする請求項１乃至７の何れか１項に記載の電子機器。
【請求項９】
項目を移動させずに、前記第１の移動操作に応じて選択された位置の項目の削除指示を受け付けることを特徴とする請求項１乃至８の何れか１項に記載の電子機器。
【請求項１０】
前記第１の移動操作は左方向への移動操作であり、前記第一の方向の端は左端であり、前記第二の方向の端は右端であることを特徴とする請求項１乃至９の何れか１項に記載の電子機器。
【請求項１１】
前記受付手段は、第２の移動操作を受け付け可能であり、
前記複数の選択可能な位置における前記第一の方向の端に前記特定の項目が位置している場合には、
特定の項目を移動させるための前記第１の移動操作に応じては、前記特定の項目を移動させるための前記第１の移動操作があっても前記特定の項目を移動させず、前記特定の項目を移動させるための前記第２の操作に応じては、前記第一の方向とは反対方向である第二の方向に前記特定の項目を移動させることを特徴とする請求項１乃至１０の何れか１項に記載の電子機器。
【請求項１２】
前記第１の移動操作は、方向キーに含まれる各方向を示すキーのうち、特定のキーの押下、もしくは回転操作部材に対する特定の方向への回転操作であることを特徴とする請求項１乃至１１の何れか１項に記載の電子機器。
【請求項１３】
前記制御手段は、前記特定の項目が、前記複数の選択可能な位置における前記第一の方向の端に前記特定の項目が位置しており、前記第１の移動操作に応じて前記特定の項目が移動可能な範囲の大きさに対して半分以上の大きさである場合には、前記第１の移動操作があっても前記特定の項目を移動させず、前記特定の項目が前記第１の移動操作に応じて前記特定の項目が移動可能な範囲の大きさに対して半分未満の大きさである場合には、前記第１の移動操作があったことに応じて特定の項目を前記第２の方向の端に移動させるように制御することを特徴とする請求項１乃至１２の何れか１項に記載の電子機器。
【請求項１４】
前記制御手段は、項目が配置されている画面において、前記第１の移動操作に応じて移動された選択位置に対応する項目がある場合には該項目に関する説明を表示部に表示し、項目を移動させずに行われた前記第１の移動操作に応じて選択された位置に項目がある場合に該項目に関する説明を表示する期間は、特定の項目が移動された際に行われた前記第１の移動操作に応じて選択された位置に項目がある場合に該項目に関する説明を表示する期間よりも長くするように制御することを特徴とする請求項１乃至１３の何れか１項に記載の電子機器。
【請求項１５】
項目が配置されている画面において、画面上での選択位置を順次移動するための操作を受け付ける受付手段と、
特定の項目について、画面内におけるレイアウト位置を移動させるためのレイアウト位置変更モードと、複数の項目の何れかを選択することによってそれぞれの項目に対応した機能の何れかを選択するための機能選択モードとを有する制御手段であって、
前記レイアウト位置変更モードにおいては、複数の選択可能な位置の中の第一の方向の端に前記特定の項目が位置している場合には、前記受付手段により前記特定の項目を第１の方向に移動させるための操作があっても前記特定の項目のレイアウト位置を移動させず、
前記機能選択モードにおいては、複数の選択可能な項目の中の前記第一の方向の端の項目が選択中の項目である場合には、前記選択中の項目から前記第一の方向とは反対方向の端に存在する他の項目を選択する制御手段とを有することを特徴とする電子機器。
【請求項１６】
項目が配置されている画面において、第１の移動操作を含む、画面上での選択位置を移動するための操作を受け付ける受付ステップと、
前記第１の移動操作が、特定の項目を移動させるために行われたことに応じて、複数の選択可能な位置における第一の方向の端に前記特定の項目が位置していない場合には、前記第一の方向に前記特定の項目を移動させ、前記複数の選択可能な位置における前記第一の方向の端に前記特定の項目が位置している場合には、前記特定の項目を移動させるための前記第１の移動操作があっても前記特定の項目を移動させず、
前記第１の移動操作が、項目を移動させずに、複数の選択可能な位置の何れかを選択するため行われたことに応じて、前記複数の選択可能な位置における前記第一の方向の端でない位置が選択中の位置である場合には、前記選択中の位置から前記第一の方向にある位置へと選択する位置を変更し、前記複数の選択可能な位置における前記第一の方向の端の位置が前記選択中の位置である場合には、複数の選択可能な位置において、前記選択中の位置から前記第一の方向とは反対方向である第二の方向の端に選択する位置を変更するように制御する制御ステップとを有することを特徴とする電子機器の制御方法。
【請求項１７】
項目が配置されている画面において、第１の移動操作を含む、画面上での選択位置を移動するための操作を受け付ける受付ステップと、
特定の項目を移動させるための前記第１の移動操作に応じて、複数の選択可能な位置における第一の方向の端に前記特定の項目が位置していない場合には、前記第一の方向に前記特定の項目を移動させ、選択可能な位置における前記第一の方向の端に前記特定の項目が位置している場合には、前記特定の項目を移動させるための前記第１の移動操作があっても前記特定の項目を移動させず、
項目を移動させずに、配置された複数の項目の何れか選択するための前記第１の移動操作に応じて、前記複数の項目における前記第一の方向の端に選択中の項目が配置されていない場合には、前記選択中の項目から前記第一の方向に配置された項目に選択を変更し、前記複数の項目における前記第一の方向の端に前記選択中の項目が配置されている場合には、複数の項目において、前記選択中の項目から前記第一の方向とは反対方向である第二の方向の端に配置された項目に選択を変更するように制御する制御ステップとを有することを特徴とする電子機器の制御方法。
【請求項１８】
項目が配置されている画面において、画面上での選択位置を順次移動するための操作を受け付ける受付ステップと、
特定の項目について、画面内におけるレイアウト位置を移動させるためのレイアウト位置変更モードと、複数の項目の何れかを選択することによってそれぞれの項目に対応した機能の何れかを選択するための機能選択モードとを有する制御ステップであって、
前記レイアウト位置変更モードにおいては、複数の選択可能な位置の中の第一の方向の端に前記特定の項目が位置している場合には、前記受付ステップにおいて前記特定の項目を第１の方向に移動させるための操作があっても前記特定の項目のレイアウト位置を移動させず、
前記機能選択モードにおいては、複数の選択可能な項目の中の前記第一の方向の端の項目が選択中の項目である場合には、前記選択中の項目から前記第一の方向とは反対方向の端に存在する他の項目を選択する制御ステップとを有することを特徴とする電子機器の制御方法。
【請求項１９】
コンピュータを、請求項１乃至１５のいずれか１項に記載された電子機器の各手段として機能させるためのプログラム。
【請求項２０】
コンピュータを、請求項１乃至１５のいずれか１項に記載された電子機器の各手段として機能させるためのプログラムを格納したコンピュータが読み取り可能な記録媒体。